(57)【要約】  ヒンジリッド型ボックス１は、アウタボックス２と、ヒンジリッド３と、アウタボックス２の前壁２１に沿って設けられる前面フレーム４１およびアウタボックス２の側壁２３に沿って設けられて且つ前面フレーム４１に連なる側面フレーム４２を有するインナフレーム４と、を備える。インナフレーム４は、前面フレーム４１と側面フレーム４２との境界をなす縁部４４の露出部分に形成され、対応するアウタボックス２側の右側壁２３と前壁２１との境界をなす右前方ボックス縁部２６からアウタボックス２の幅方向内側に傾斜して斜め上方に延びる傾斜縁部４４Ａを有する。
2014020719.tif 000002
【特許請求の範囲】
【請求項１】
開口端を有すると共に内部に物品を収容可能なアウタボックスと、
前記開口端の後縁にヒンジ接続されて該開口端を開閉可能なヒンジリッドと、
前記アウタボックスの前壁に沿って設けられる前面フレームおよび該アウタボックスの側壁に沿って設けられて且つ該前面フレームに連なる側面フレームを有し、前記前面フレームおよび前記側面フレームの上端側が前記開口端から突出するように前記アウタボックスに設けられると共に前記ヒンジリッドの開閉を案内するインナフレームと、
を備え、
前記インナフレームは、前記前面フレームと前記側面フレームとの境界をなす縁部の露出部分に形成され、対応する前記アウタボックス側の側壁と前壁との境界をなす前方ボックス縁部から該アウタボックスの幅方向内側に傾斜して斜め上方に延びる傾斜縁部を有する、
ヒンジリッド型ボックス。
【請求項２】
前記傾斜縁部を介して前記前面フレームに連なる前記側面フレームが沿っている前記アウタボックスの前記側壁は、前記前壁から該アウタボックスの幅方向外側後方に傾斜して延伸する傾斜側壁として前記前壁と前記後壁とを連結する、
請求項１に記載のヒンジリッド型ボックス。
【請求項３】
前記ヒンジリッドと前記アウタボックスとにおける横断面形状は平行四辺形である、
請求項２に記載のヒンジリッド型ボックス。
【請求項４】
前記アウタボックスと前記ヒンジリッドとがヒンジ接続されるヒンジ接続部の端部のうち、少なくとも前方に前記傾斜縁部が設けられている方の端部にスリットが形成されている、
請求項１から３の何れか一項に記載のヒンジリッド型ボックス。
【請求項５】
前記傾斜縁部を介して前記前面フレームに連なる前記側面フレームの上端部が、前記傾斜縁部の上端よりも高い位置まで上方に延設されている、
請求項１から４の何れか一項に記載のヒンジリッド型ボックス。
【発明の詳細な説明】
【技術分野】
【０００１】
本発明は、ヒンジリッド型ボックスに関する。
【背景技術】
【０００２】
従来、シガレットやフィルタシガレット等の棒状喫煙物品を収容するボックスタイプのハードパッケージの１形態として、ヒンジリッド型ボックス（パッケージ）が広く知られている（例えば、特許文献１を参照）。【０００３】
通常、ヒンジリッド型ボックスのヒンジリッドを開ける場合、扱い者は、ボックス本体を一方の手にとると共に、他方の手でヒンジリッドを開ける操作を行う。すなわち、従来のヒンジリッド型ボックスは、両手で開ける必要があった。
【先行技術文献】
【特許文献】
【０００４】
【特許文献１】特開昭５０−９１４８５号公報
【特許文献２】国際公開第２０１１／１４７６５５号
【発明の概要】
【発明が解決しようとする課題】
【０００５】
本発明は、このような課題に鑑みてなされてものであって、その目的は、片手でヒンジリッドを開くことのできるヒンジリッド型ボックスに関する技術を提供することにある。
【課題を解決するための手段】
【０００６】
上記課題を解決するために、本発明に係るヒンジリッド型ボックスは、以下の手段を採用した。すなわち、本発明は、開口端を有すると共に内部に物品を収容可能なアウタボックスと、前記開口端の後縁にヒンジ接続されて該開口端を開閉可能なヒンジリッドと、前記アウタボックスの前壁に沿って設けられる前面フレームおよび該アウタボックスの側壁に沿って設けられて且つ該前面フレームに連なる側面フレームを有し、前記前面フレームおよび前記側面フレームの上端側が前記開口端から突出するように前記アウタボックスに設けられると共に前記ヒンジリッドの開閉を案内するインナフレームと、を備え、前記インナフレームは、前記前面フレームと前記側面フレームとの境界をなす縁部の露出部分に形成され、対応する前記アウタボックス側の側壁と前壁との境界をなす前方ボックス縁部から該アウタボックスの幅方向内側に傾斜して斜め上方に延びる傾斜縁部を有する、ヒンジリッド型ボックスである。【０００７】
本発明に係るヒンジリッド型ボックスにおいては、インナフレームの傾斜縁部が、アウタボックスの幅方向内側に傾斜して斜め上方に延びている。これによれば、扱い者、例えばヒンジリッド型ボックスを購入した消費者が閉じた状態のヒンジリッドを開ける際に、片手でアウタボックスを捻る捻転操作を行う。そうすると、アウタボックスの捩り変形に伴い、インナフレームの傾斜縁部がアウタボックスにおける前壁の平面外方向に起き上がり、傾斜縁部の姿勢がアウタボックスの前方に向かって傾倒する。【０００８】
このようなインナフレームにおける傾斜縁部の傾倒動作により、傾斜縁部の先端は、ヒンジリッドの内面縁部に当接し、ヒンジリッドを押し上げながらアウタボックスの前方に向かって傾倒するため、ヒンジ接続部を中心にヒンジリッドが開かれるようになる。つまり、本発明におけるヒンジリッド型ボックスによれば、扱い者は、片手でアウタボックスを捻る捻転操作を行うことで容易にヒンジリッドを開くことができる。【０００９】
また、ヒンジリッド型ボックスにおいて、前記傾斜縁部を介して前記前面フレームに連なる前記側面フレームが沿っている前記アウタボックスの前記側壁は、前記前壁から該アウタボックスの幅方向外側後方に傾斜して延伸する傾斜側壁として前記前壁と前記後壁とを連結していてもよい。【００１０】
このように、インナフレームの傾斜縁部に対応する方のアウタボックスの側壁を上記傾斜側壁とすることで、扱い者がアウタボックスを捻転させることで、インナフレームにおける傾斜縁部の姿勢が、アウタボックスの前方に向かって傾倒する姿勢へと変化しやすくなる。また、アウタボックスの形状が、アウタボックスを捻り易い形状となるため、その捻転量を容易に確保することができる。よって、インナフレームの傾斜縁部がアウタボックスの前方に傾倒する際の傾倒度合いを大きくすることができ、ヒンジリッドをより一層開放しやすくなる。【００１１】
また、ヒンジリッド型ボックスにおいて、前記ヒンジリッドと前記アウタボックスとにおける横断面形状は平行四辺形であってもよい。これによれば、扱い者がアウタボックスを捻転させる際に、その捻転量をより一層確保しやすくなる。その結果、インナフレームに係る傾斜縁部の傾倒度合いを大きくすることができ、ヒンジリッドをより一層片手で容易に開くことが可能となる。【００１２】
また、ヒンジリッド型ボックスにおいて、前記アウタボックスと前記ヒンジリッドとがヒンジ接続されるヒンジ接続部の端部のうち、少なくとも前方に前記傾斜縁部が設けられている方の端部にスリットが形成されているとよい。これにより、アウタボックスの捻転時において、スリットが設けられている部分がより一層変形し易くなる。その結果、インナフレームに係る傾斜縁部の傾倒度合いを大きくすることができ、ヒンジリッドが開き易くなる。【００１３】
また、インナフレームにおいて、前記傾斜縁部を介して前記前面フレームに連なる前記側面フレームの上端部が、前記傾斜縁部の上端よりも高い位置まで上方に延設されていてもよい。これによれば、ヒンジリッドの内面に対する傾斜縁部の当接状態が解除された後も、側面フレームの上端部がヒンジリッドの側壁内側に当接した状態に保持される。そして、捻転動作によって弾性変形していた側面フレームの上端部が解放されるときにヒンジリッドの側壁を弾き、跳ね上げることでヒンジリッドを開放する駆動力が得られる。そのため、ヒンジリッドをより一層開きやすくなる。【００１４】
なお、ヒンジリッド型ボックスに収容する被収容物は特に限定されるものではないが、例えば、たばこ商品を被収容物として好適に例示できる。たばこ商品としては、例えば紙巻たばこ（フィルタシガレット、両切たばこ（フィルタ無し））、シガー（葉巻）、電子たばこ、噛みたばこ、嗅ぎたばこ等が例示できる。また、ヒンジリッド型ボックスは、例えば菓子、ガム等を収容するための箱型パッケージであってもよい。【００１５】
また、本発明における課題を解決するための手段は、可能な限り組み合わせて採用することができる。
【発明の効果】
【００１６】
本発明によれば、片手でヒンジリッドを開くことのできるヒンジリッド型ボックスを提供することができる。
【図面の簡単な説明】
【００１７】
【図１】実施形態に係るヒンジリッド型ボックスの斜視図である。
【図２】実施形態に係るヒンジリッド型ボックスの斜視図である。
【図３】実施形態に係るヒンジリッド型ボックスの斜視図である。
【図４】実施形態に係るヒンジリッド型ボックスの６面図である。
【図５】実施形態に係るメインブランクの展開図である。
【図６】実施形態に係るサブブランクの展開図である。
【図７】ヒンジリッドの開操作を行う際におけるヒンジリッド型ボックスの各状態を示す図である。
【図８】ヒンジリッドの開操作を行う際におけるヒンジリッド型ボックスの各状態を示す図である。
【図９】インナフレームにおける傾斜縁部角度と傾斜縁部長さの設定方法を説明する説明図である。
【発明を実施するための形態】
【００１８】
以下、本発明に係るヒンジリッド型ボックスの実施形態について、図面に基づいて説明する。ヒンジリッド型ボックスは、内部に被収容物を収容する箱型のパッケージである。ヒンジリッド型ボックスに収容する被収容物は特定のものに限定されないが、この実施形態ではシガレットをヒンジリッド型ボックスに収容する場合を例に説明する。
【００１９】
図１〜図３は、実施形態に係るヒンジリッド型ボックス１の斜視図であり、ヒンジリッド型ボックス１を正面右斜め側から眺めた状態を示している。ヒンジリッド型ボックス１は、箱型をしたケース本体であるアウタボックス２と、ヒンジリッド３と、インナフレーム４とを備えている。図１および図２に示す状態はヒンジリッド３が開放されており、図３に示す状態はヒンジリッド３が閉じられている。図４は、ヒンジリッド型ボックス１の６面図である。（ａ）は正面図、（ｂ）は背面図、（ｃ）は上面図、（ｄ）は下面図、（ｅ）は右側面図、（ｆ）は左側面図を示す。
【００２０】
ヒンジリッド型ボックス１は、例えばカード紙やマニラボール紙などといった紙材からなるブランクを折り込むことで形成されている。但し、ヒンジリッド型ボックス１の材料は紙材に限られず、例えばプラスチックシート等を用いてヒンジリッド型ボックス１を製造しても良い。アウタボックス２は、上端側が斜めに切り欠かれることで開口端部２０が形成される箱体である。アウタボックス２の内部には被収容物品を収容する収容空間が形成されている。図２には、シガレットＣをアウタボックス２の内部に収容した状態を示している。なお、図１および図３においては、シガレットＣの作図を省略している。ヒンジリッド型ボックス１のヒンジリッド３が開放されると、ヒンジリッド３に塞がれていた開口端部２０が外部に露出することにより、シガレットＣを取り出すことが可能となる。
【００２１】
アウタボックス２は、前壁２１、後壁２２、右側壁２３、左側壁２４、底壁２５を有する。前壁２１および後壁２２は夫々矩形状を有し、後壁２２は前壁２１に比べて高さ寸法が長尺の矩形状をなし、前壁２１と対向配置されている。右側壁２３および左側壁２４は、前壁２１および後壁２２の両側縁を相互に連結しており、矩形状の上端が斜辺となった台形状をなしている。右側壁２３および左側壁２４の上端縁は、前壁２１の上端と後壁２２の上端とを結ぶように傾斜している。また、底壁２５は、平行四辺形をなしており、前壁２１および後壁２２の下端に連結されている。
【００２２】
更に、アウタボックス２の後壁２２の上端には、アウタボックス２の幅方向に沿った折り込み線によってヒンジ５が形成されている。このヒンジ５は、後壁２２における上端の両端部を除く範囲に形成されており、アウタボックス２の後壁２２に対してヒンジリッド３を回動自在に連結している。後壁２２における上端の両端部には、スリット６がそれぞれ形成されており、このスリット６によってアウタボックス２の後壁２２とヒンジリッド３との間の縁が切れている。なお、図２においては、便宜上、アウタボックス２の内部にシガレットＣを直接収容した状態を示しているが、通常の形態において、アウタボックス２の収容空間にはアルミニウム蒸着紙などといった内包材によってシガレットＣを包み込んで形成されるインナパックが収容されている。
【００２３】
ヒンジリッド３は、前壁３１、後壁３２、右側壁３３、左側壁３４、天壁３５を有する。前壁３１および後壁３２は夫々矩形状を有し、前壁３１は後壁３２に比べて高さ寸法が長尺の矩形状をなし、後壁３２と対向配置されている。右側壁３３および左側壁３４は、前壁３１および後壁３２の両側縁を相互に連結しており、矩形状の下端が斜辺となった台形状をなしている。右側壁３３および左側壁３４の下端縁は、ヒンジリッド３の前壁３１の下端と後壁３２の下端とを結ぶように傾斜している。また、天壁３５は、平行四辺形をなしており、前壁３１および後壁３２の上端に連結されている。なお、ヒンジリッド３の天壁３５と、アウタボックス２の底壁２５とは同一形状の平行四辺形をなしている。
【００２４】
インナフレーム４は、その上端側が開口端部２０から上方に突出するようにアウタボックス２の内壁面に接着され、ヒンジリッド３の開閉を案内するガイドとして機能する部材である。また、インナフレーム４は、アウタボックス２の開口端部２０を補強する補強部材としても機能する。
【００２５】
インナフレーム４は、アウタボックス２の前壁２１に沿って設けられる前面フレーム４１と、この前面フレーム４１の両側に連なる右側面フレーム４２、左側面フレーム４３を有する。右側面フレーム４２はアウタボックス２の右側壁２３に沿って設けられ、左側面フレーム４３はアウタボックス２の左側壁２４に沿って設けられている。そして、前面フレーム４１、右側面フレーム４２、および左側面フレーム４３は、それぞれの上端側が開口端部２０から上方に突出している。また、前面フレーム４１、右側面フレーム４２、および左側面フレーム４３は、アウタボックス２の前壁２１、右側壁２３、および左側壁２４にそれぞれ接着されている。
【００２６】
インナフレーム４において、前面フレーム４１と右側面フレーム４２との境界縁部を右側フレーム縁部４４と称し、前面フレーム４１と左側面フレーム４３との境界縁部を左側フレーム縁部４５と称する。また、アウタボックス２において、前壁２１と右側壁２３との間の境界縁部を右前方ボックス縁部２６、前壁２１と左側壁２４との間の境界縁部を左前方ボックス縁部２７と称する。更に、後壁２２と右側壁２３との間の境界縁部を右後方ボックス縁部２８、後壁２２と左側壁２４との間の境界縁部を左後方ボックス縁部２９と称する。また、ヒンジリッド３において、前壁３１と右側壁３３との間の境界縁部を右前方リッド縁部３６と称する。
【００２７】
インナフレーム４の右側フレーム縁部４４の上部領域、すなわち右側フレーム縁部４４が開口端部２０から上方に突出することで露出している露出部分には、アウタボックス２の右前方ボックス縁部２６からアウタボックス２の幅方向内側に傾斜して斜め上方に延びる傾斜縁部４４Ａが形成されている。一方、インナフレーム４の左側フレーム縁部４５は、アウタボックス２の左前方ボックス縁部２７から真っ直ぐ上方に延びている。なお、本実施形態では、右側フレーム縁部４４における露出部分の全部を傾斜縁部４４Ａとして形成しているが、この露出部分の一部を傾斜縁部４４Ａとして形成してもよい。
【００２８】
以上のように構成されるヒンジリッド型ボックス１は、アウタボックス２およびヒンジリッド３の横断面形状が平行四辺形となっている。そして、インナフレーム４のうち、傾斜縁部４４Ａを介して前面フレーム４１に連なる右側面フレーム４２が沿うように設けられているアウタボックス２の右側壁２３は、前壁２１からアウタボックス２の幅方向外側後方に傾斜して延伸する傾斜側壁として前壁２１と後壁２２とを連結している。また、アウタボックス２の左側壁２４は、前壁２１からアウタボックス２の幅方向内側後方に傾斜して延伸する傾斜側壁として形成され、前壁２１と後壁２２とを連結している。なお、本実施形態においては、アウタボックス２の右側壁２３と左側壁２４とが平行に配置されているが、これには限定されない。
【００２９】
更に、インナフレーム４における右側面フレーム４２と左側面フレーム４３のうち、傾斜縁部４４Ａを介して前面フレーム４１に連なっている方の右側面フレーム４２の上端部４２Ａは、傾斜縁部４４Ａの上端よりも高い位置まで上方に延設されている。
【００３０】
図５は、ヒンジリッド型ボックス１のアウタボックス２およびヒンジリッド３を形成するメインブランクＢ１の展開図である。図６は、ヒンジリッド型ボックス１のインナフレーム４を形成するサブブランクＢ２の展開図である。メインブランクＢ１およびサブブランクＢ２にはカード紙、マニラボール紙等の紙材を用いているが、これに限られるものではなく、例えばプラスチックシート等を用いても良い。
【００３１】
メインブランクＢ１は、アウタボックス２の前壁２１となる前壁パネルＰ１を有している。前壁パネルＰ１の両側には、アウタボックス２の右側壁２３、左側壁２４の一部となる右側壁パネルＰ２、左側壁パネルＰ３が連なっており、前壁パネルＰ１の下端には底壁２５となる底壁パネルＰ４が連なっている。この底壁パネルＰ４には、前壁パネルＰ１とは反対側に位置してアウタボックス２の後壁２２となる後壁パネルＰ５が連なっている。また、後壁パネルＰ５の両端には、右側壁２３、左側壁２４の残部となる右側壁補強パネルＰ６、左側壁補強パネルＰ７が連なっている。また、右側壁補強パネルＰ６および左側壁補強パネルＰ７の上端には、底壁補強フラップＰ８、Ｐ９が夫々連なっている。
【００３２】
更に、後壁パネルＰ５には、底壁パネルＰ４とは反対側に位置してヒンジリッド３の後壁３２となる後壁パネルＰ１０が連なっている。後壁パネルＰ１０の両側には、ヒンジリッド３の右側壁３３、左側壁３４の一部となる右側壁補強パネルＰ１１、左側壁補強パネルＰ１２が連なっている。また、後壁パネルＰ１０の下端には、ヒンジリッド３の天壁３５となる天壁パネルＰ１３が連なっている。また、天壁パネルＰ１３には、後壁パネルＰ１０とは反対側に位置してヒンジリッド３の前壁３１となる前壁パネルＰ１４が連なっている。また、右側壁補強パネルＰ１１および左側壁補強パネルＰ１２の下端には、天壁補強フラップＰ１５、Ｐ１６が夫々連なっている。
【００３３】
前壁パネルＰ１４の両側には、ヒンジリッド３の右側壁３３、左側壁３４の残部となる右側壁パネルＰ１７、左側壁パネルＰ１８が連なっている。更に、前壁パネルＰ１４の下端には、ヒンジリッド３の前壁３１の補強をなす前壁補強パネルＰ１９が連なっている。
【００３４】
次に、サブブランクＢ２について説明する。サブブランクＢ２は、インナフレーム４の前面フレーム４１となる前面パネルＰ２０を有する。この前面パネルＰ２０の両側には、インナフレーム４の右側面フレーム４２、左側面フレーム４３となる右側面パネルＰ２１、左側面パネルＰ２２がそれぞれ連なっている。
【００３５】
図６に示すように、サブブランクＢ２において、一点鎖線で示した前面パネルＰ２０と左側面パネルＰ２２との間の折り込み線は、直線形状を有する。一方、前面パネルＰ２０と右側面パネルＰ２１との間の折り込み線は、サブブランクＢ２の下端側に設けられる折り込み線Ｌ１と、この折り込み線Ｌ１に折れ曲がって接続される折り込み線Ｌ２とからなる。折り込み線Ｌ２は、前面パネルＰ２０側に向けて傾斜するように折り込み線Ｌ１に接続されており、組み上げ後におけるインナフレーム４の傾斜縁部４４Ａを形成する。なお、折り込み線Ｌ２と折り込み線Ｌ１とがなす角度φは、１６４°に設定されている。
【００３６】
上述したメインブランクＢ１、サブブランクＢ２は、一点鎖線にて表される折り込み線に沿って折り込まれて、アウタボックス２およびヒンジリッド３がそれぞれ成形され、この折り込み成形により、図３に示すようなヒンジリッド３を閉じた状態のヒンジリッド型ボックス１が得られる。
【００３７】
より詳しくは、例えば、メインブランクＢ１において、後壁パネルＰ５上にインナフレーム４を備えたインナパックが載置される。このインナパックは、上記のように、シガレットＣの束を内包材によって包み込んだものである。インナフレーム４は上述のサブブランクＢ２を折り込み線に沿ってインナパックの回りに折り込むことで成形される。
【００３８】
そして、後壁パネルＰ５上にインナパックを載置した状態で、メインブランクＢ１を各折り込み線に沿って折り込む。この折り込み成形の際に、右側壁パネルＰ２と右側壁補強パネルＰ６とが互いに接着されて、アウタボックス２の右側壁２３となる。また、左側壁パネルＰ３と左側壁補強パネルＰ７とが互いに接着されて、アウタボックス２の左側壁２４となる。また、底壁補強フラップＰ８、Ｐ９は、底壁パネルＰ４に重ねられることで、アウタボックス２の底壁２５を補強する。
【００３９】
また、ヒンジリッド３の折り込み成形に際して、右側壁補強パネルＰ１１と右側壁パネルＰ１７とが互いに接着されて、ヒンジリッド３の右側壁３３となる。また、左側壁補強パネルＰ１２と左側壁パネルＰ１８とが互いに接着されて、ヒンジリッド３の左側壁３４となる。また、天壁補強フラップＰ１５、Ｐ１６は、天壁パネルＰ１３に重ねられることで、ヒンジリッド３の天壁３５を補強する。更に、前壁パネルＰ１４に対して折り返された前壁補強パネルＰ１９は、前壁パネルＰ１４と重ねられて接着されることで、ヒンジリッド３の前壁３１を補強する。以上により、ヒンジリッド型ボックス１の成形が完了する。
【００４０】
以上のように構成されるヒンジリッド型ボックス１は、水平断面が平行四辺形を有するパッケージである。ヒンジリッド型ボックス１を購入した消費者がシガレットＣを取り出す際には、アウタボックス２を片手で持った状態で捻ることによって、ヒンジリッド３を開けることができる。以下、ヒンジリッド型ボックス１を片手で開く開操作に関連する構造上の特徴点について説明する。
【００４１】
図７、図８は、ヒンジリッド３の開操作を行う際におけるヒンジリッド型ボックス１の各状態を示す図である。図７は、各状態におけるヒンジリッド型ボックス１を斜視的に示している。また、図８は、各状態におけるヒンジリッド型ボックス１の正面図および右側面図を示している。
【００４２】
（ａ）は、ヒンジリッド３の開操作を行う前の状態を示しており、この状態においてヒンジリッド３は完全に閉じている。消費者は、ヒンジリッド型ボックス１を手に握った状態で、アウタボックス２を捻る。より具体的には、人差し指、中指、薬指などをアウタボックス２の右後方ボックス縁部２８に引っ掛け、この右後方ボックス縁部２８をアウタボックス２の幅方向内側へ向けて押し込む。それと同時に、親指、または、親指と人差し指の股の部分をアウタボックス２の左前方ボックス縁部２７に当て、この左前方ボックス縁部２７をアウタボックス２の幅方向内側へ向けて押し込む。すなわち、本実施形態に係るヒンジリッド３の開操作では、平行四辺形の横断面を有するアウタボックス２を捻る捻転操作を行うことで、矩形に近づくように変形させる。
【００４３】
上述したように、インナフレーム４における右側フレーム縁部４４は、アウタボックス２の開口端部２０の上部に突出する領域が、アウタボックス２の幅方向内側に傾斜するように斜め上方に延びる傾斜縁部４４Ａとして形成されている。更に、アウタボックス２の右側壁２３は、前壁２１からアウタボックス２の幅方向外側後方に傾斜して延伸する傾斜側壁として前壁２１と後壁２２とを連結している。
【００４４】
従って、アウタボックス２の捻転操作が行われると、捻転操作を行う前の（ａ）に示す状態（以下、「原形状態」という。）から（ｂ）に示す状態のように、傾斜縁部４４Ａがアウタボックス２の正面側（前方）に向かって起き上がる。すなわち、原形状態においては前壁２１の平面内に収まっていた傾斜縁部４４Ａが、捻転操作に伴って前壁２１の平面外に起き上がり、アウタボックス２の前方に向かって傾倒するようになる。
【００４５】
これによれば、（ａ）に示す原形状態において、ヒンジリッド３の内面側における右前方入り隅部に当接あるいは近接して配置されていた傾斜縁部４４Ａの先端（上端）が、アウタボックス２の前方への傾倒動作によって、傾斜縁部４４Ａの先端が右前方リッド縁部３６の内面（裏面）側に当接しながらヒンジリッド３を押し上げる。なお、ヒンジリッド３の内面に傾斜縁部４４Ａの先端が当接する位置は、傾斜縁部４４Ａの傾倒動作に伴い、右前方リッド縁部３６における内面側の上端側から下端側へと徐々にずれてゆく。このように、インナフレーム４における傾斜縁部４４Ａの先端が、右前方リッド縁部３６の内側を摺動、或いは滑動しながらヒンジリッド３を持ち上げることにより、ヒンジ５を支点としてヒンジリッド３が開放される。
【００４６】
（ｃ）に示す状態は、（ｂ）に示す状態に比べて更に捻転操作に伴うアウタボックス２の捻転量が増えた状態を示している。つまり、（ｃ）に示す状態は、（ｂ）に示す状態に比べてヒンジリッド３の開き度合いが大きくなっている。ヒンジリッド３の開き度合いが大きくなっていくと、ある時点で、ヒンジリッド３における右前方リッド縁部３６の裏面に沿って摺動する傾斜縁部４４Ａの先端が右前方リッド縁部３６の下端部まで到達する。
【００４７】
それ以降は、傾斜縁部４４Ａの先端とヒンジリッド３における右前方リッド縁部３６の裏面との摺接状態が解除されるが、右前方リッド縁部３６の裏面から傾斜縁部４４Ａの先端が離間する瞬間に、傾斜縁部４４Ａによってヒンジリッド３が弾かれ、跳ね上げられる。これにより、ヒンジリッド型ボックス１は、（ｃ）から（ｄ）に示す状態へと順次移行し、（ｄ）に示す状態ではヒンジリッド３が完全に開放されることで、内部のシガレットＣが取り出せる状態となる。以上より、本実施形態に係るヒンジリッド型ボックス１によれば、片手でヒンジリッド３を容易に開くことが可能である。
【００４８】
なお、本実施形態に係るヒンジリッド型ボックス１のように、シガレットＣのような棒状物品をアウタボックス２に収納する場合、シガレットＣの上端部は傾斜縁部４４Ａの先端（上端）よりも上方に位置している（図２を参照）。従って、（ｃ）に示す状態から（ｄ）に示す状態に移行する間は、消費者によるアウタボックス２の捻転操作によって、ヒンジリッド３は、その内面をシガレットＣの上端側に対しても接触しながら開いていく。このようなシガレットＣ（インナパック）とヒンジリッド３の接触状態は、ヒンジリッド３の開放動作を補助するため、これによってヒンジリッド３がより一層開放しやすくなる。
【００４９】
更に、ヒンジリッド型ボックス１のインナフレーム４は、傾斜縁部４４Ａを介して前面フレーム４１に連なっている右側面フレーム４２の上端部４２Ａが、傾斜縁部４４Ａの上端よりも高い位置まで上方に延設されている。このような構造を採用することにより、捻転操作を行った際にアウタボックス２に収納されているシガレットＣの残数が少なくなった状態においても、ヒンジリッド３をより確実に開くことができる。
【００５０】
すなわち、アウタボックス２に対する捻転操作時に、右前方リッド縁部３６の裏面に沿って摺接するインナフレーム４の傾斜縁部４４Ａが右前方リッド縁部３６から離間した後においても、右側面フレーム４２の上端部４２Ａがヒンジリッド３の右側壁３３に当接した状態に保持される。これによれば、ヒンジリッド３の内面に対する傾斜縁部４４Ａの摺接状態が解除された後も、右側面フレーム４２の上端部４２Ａがヒンジリッド３の右側壁３３に当接した状態に保持される。そして、捻転操作によって弾性変形していた右側面フレーム４２の上端部４２Ａが解放されるときにヒンジリッド３の右側壁３３を弾き、跳ね上げることでヒンジリッド３を開放する駆動力が得られるため、ヒンジリッド３をより好適に開くことができるようになる。
【００５１】
更に、本実施形態に係るヒンジリッド型ボックス１は、ヒンジリッド３とアウタボックス２とをヒンジ接続するヒンジ５の両端部にスリット６が設けられている。特に、ヒンジ５の端部のうち、前方にインナフレーム４の傾斜縁部４４Ａが設けられている方の端部、すなわち右側壁２３側に位置する端部にスリット６を設けることにより、以下の効果を奏する。
【００５２】
すなわち、ヒンジリッド型ボックス１のヒンジリッド３を開けようとする消費者がアウタボックス２を捻転させた際に、アウタボックス２における後壁２２の右端部領域がより一層変形しやすくなる。これにより、アウタボックス２の捻転時における右後方ボックス縁部２８の変位量を増やすことができる。その結果、インナフレーム４の傾斜縁部４４Ａがアウタボックス２の正面側（前方）に傾倒する際の傾倒度合いをより大きくすることができる。よって、インナフレーム４の傾斜縁部４４Ａ、或いは右側面フレーム４２の上端部４２Ａによってヒンジリッド３の内面をより勢い良く弾くことができるため、ヒンジリッド３を好適に開放することが可能となる。なお、ヒンジ５の端部にスリット６を設置するに際しては、ヒンジ５の端部のうち、少なくとも前方にインナフレーム４の傾斜縁部４４Ａが設けられている方の右側壁２３側の端部にスリット６を設ければよい。
【００５３】
更に、本実施形態に係るアウタボックス２の左側壁２４は、前壁２１からアウタボックス２の幅方向内側後方に傾斜して延伸する傾斜側壁として前壁２１と後壁２２とを連結している。このようにして、アウタボックス２の左側壁２４と右側壁２３とが一組の平行な傾斜側壁を形成する結果、横断面形状が平行四辺形のアウタボックス２が得られる。上記構造を採用することにより、消費者がアウタボックス２を捻転させる際に、アウタボックス２の捻転量を増やす事ができるため、インナフレーム４の傾斜縁部４４Ａがアウタボックス２の正面側（前方）に傾倒する際の傾倒度合いをより大きくすることができる。従って、アウタボックス２の捻転操作によって、ヒンジリッド３をより一層開放しやすくなる。
【００５４】
また、ヒンジリッド型ボックス１におけるヒンジリッド３の前壁３１は、図５に示したメインブランクＢ１の前壁パネルＰ１４および前壁補強パネルＰ１９から形成される。ここで、前壁補強パネルＰ１９は、前壁パネルＰ１４に比べて幅が狭い。そのため、前壁補強パネルＰ１９を前壁パネルＰ１４に重ねて接着すると、ヒンジリッド３の前壁３１における右側壁３３との接続部近傍は、他の部位に比べて厚さが一段薄く形成される。このように、ヒンジリッド３における前壁３１において、右側壁３３との接続部近傍の厚さを他の部位に比べて薄くすることで、右前方リッド縁部３６の裏面に溝が形成されることになる。この溝は、インナフレーム４の傾斜縁部４４Ａに沿って形成されるため、傾斜縁部４４Ａの先端（頂点）部が右前方リッド縁部３６の裏面を摺動、あるいは滑動する際のガイドとして機能する。これにより、ヒンジリッド３をより好適に開放することができるようになる。
【００５５】
次に、インナフレーム４における傾斜縁部４４Ａが右前方ボックス縁部２６に対して傾斜する傾斜角度（以下、「傾斜縁部角度」という。）φと、傾斜縁部４４Ａの長さ（以下、「傾斜縁部長さ」という。）Ｌの組み合わせについて説明する。図９は、インナフレーム４における傾斜縁部角度φと傾斜縁部長さＬの設定方法を説明する説明図であり、具体的にはヒンジリッド型ボックス１の右側面図を示している。図９中のＬ３は、ヒンジリッド３が開く際に前壁３１の下端部が通過する位置の軌跡を示している。本発明者は鋭意検討を重ねた結果、傾斜縁部角度φおよび傾斜縁部長さＬを以下の手順に従って設定すると、アウタボックス２を捻転させた際にヒンジリッド３をより一層容易に開くことができることを見出した。
【００５６】
図中の第１基準線ＬＢ１、第２基準線ＬＢ２、第３基準線ＬＢ３はそれぞれ傾斜縁部角度φおよび傾斜縁部長さＬを設定するために用いる基準線である。各基準線は、軌跡Ｌ３上の基準点とヒンジリッド３を閉じた際の前壁３１の下端部とを結ぶことで得られる。ここで、各基準線ＬＢ１、ＬＢ２、ＬＢ３の長さを傾斜縁部長さＬとして採用する場合、各傾斜縁部長さＬに対応する傾斜縁部角度φとして、各基準線ＬＢ１、ＬＢ２、ＬＢ３とアウタボックス２の前壁２１（右前方ボックス縁部２６）とがなす角度を採用することが好ましい。この設定手法によれば、傾斜縁部角度φが小さいほど傾斜縁部長さＬを短くすることができ、逆に傾斜縁部角度φが大きいほど傾斜縁部長さＬを長くする必要がある。このようにして傾斜縁部角度φおよび傾斜縁部長さＬの組み合わせを設定することで、アウタボックス２を捻転させた際にヒンジリッド３を好適に開くことができる。
【００５７】
ここで、軌跡Ｌ３上の各基準点とヒンジ５とを線分にて結ぶ。このようにして得られた線分が略水平となるときに得られる第２基準線ＬＢ２によって決定される傾斜縁部角度φと傾斜縁部長さＬの組み合わせが、他の基準線ＬＢ１、ＬＢ３によって決定される傾斜縁部角度φと傾斜縁部長さＬの組み合わせに比べて、最もヒンジリッド３の蓋開き性が優れていることが見出された。ここで、第２基準線ＬＢ２に対応する傾斜縁部角度φは１６４°である。本発明者による鋭意検討の結果、傾斜縁部角度φを１６４±１０°程度に設定し、かつ対応する傾斜縁部長さＬを上記手法に従って設定することが、アウタボックス２の捻転操作時におけるヒンジリッド３の蓋開き性の観点から好ましいことが見出された。
【００５８】
〈変形例〉
次に、実施形態に係るヒンジリッド型ボックス１の変形例について説明する。上述のヒンジリッド型ボックス１は、アウタボックス２の横断面形状を平行四辺形としているが、インナフレーム４の前面フレーム４１と側面フレームとの境界をなす少なくとも何れか一方の縁部を上述の傾斜縁部として形成すれば、アウタボックス２の横断面形状は特段限定されるものではなく、例えば台形や矩形であってもよい。また、本実施形態に係るインナフレーム４は、前面フレーム４１と右側面フレーム４２との間の境界縁部を傾斜縁部４４Ａとしたが、その代わりに前面フレーム４１と左側面フレーム４３との間の境界縁部を傾斜縁部としてもよい。或いは、双方の境界縁部を傾斜縁部として構成してもよい。
【００５９】
以上、本発明の好適な実施形態を説明したが、これらには本発明の本旨を逸脱しない範囲において適宜の変更を加えることができる。また、上述の実施形態では、ヒンジリッド型ボックス１に収容する被収容物の好適な適用例として、フィルタシガレットや両切シガレット等のシガレットを収容する場合を説明したが、これらには限定されず、例えば、シガー（葉巻）、電子たばこ、噛みたばこ、嗅ぎたばこ等を収容してもよい。また、たばこ商品に限らず、例えば菓子やガム等の物品をヒンジリッド型ボックス１に収容してもよい。また、実施形態に記載されている構成要素の寸法、材質、形状、その相対配置等は、特に特定的な記載がない限りは、発明の技術的範囲をそれらのみに限定する趣旨のものではない。また、各実施形態およびその変形例は、可能な限り組み合わせて実施することができる。
【符号の説明】
【００６０】
１・・・ヒンジリッド型ボックス
２・・・アウタボックス
３・・・ヒンジリッド
４・・・インナフレーム
５・・・ヒンジ
６・・・スリット
４１・・・前面フレーム
４２・・・右側面フレーム
４３・・・左側面フレーム
４４Ａ・・・傾斜縁部
【図１】
2014020719.tif 000003
【図２】
2014020719.tif 000004
【図３】
2014020719.tif 000005
【図４】
2014020719.tif 000006
【図５】
2014020719.tif 000007
【図６】
2014020719.tif 000008
【図７】
2014020719.tif 000009
【図８】
2014020719.tif 000010
【図９】
2014020719.tif 000011
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
開口端を有すると共に内部に物品を収容可能なアウタボックスと、
前記開口端の後縁にヒンジ接続されて該開口端を開閉可能なヒンジリッドと、
前記アウタボックスの前壁に沿って設けられる前面フレームおよび該アウタボックスの側壁に沿って設けられて且つ該前面フレームに連なる側面フレームを有し、前記前面フレームおよび前記側面フレームの上端側が前記開口端から突出するように前記アウタボックスに設けられると共に前記ヒンジリッドの開閉を案内するインナフレームと、
を備え、
前記インナフレームは、前記前面フレームと前記側面フレームとの境界をなす縁部の露出部分に形成され、対応する前記アウタボックス側の側壁と前壁との境界をなす前方ボックス縁部から該アウタボックスの幅方向内側に傾斜して斜め上方に延びる傾斜縁部を有し、
前記傾斜縁部を介して前記前面フレームに連なる前記側面フレームが沿っている前記アウタボックスの前記側壁は、前記前壁から該アウタボックスの幅方向外側後方に傾斜して延伸する傾斜側壁として前記前壁と前記後壁とを連結する、
ヒンジリッド型ボックス。
【請求項２】
前記ヒンジリッドと前記アウタボックスとにおける横断面形状は平行四辺形である、
請求項１に記載のヒンジリッド型ボックス。
【請求項３】
前記アウタボックスと前記ヒンジリッドとがヒンジ接続されるヒンジ接続部の端部のうち、少なくとも前方に前記傾斜縁部が設けられている方の端部にスリットが形成されている、
請求項１又は２に記載のヒンジリッド型ボックス。
【請求項４】
前記傾斜縁部を介して前記前面フレームに連なる前記側面フレームの上端部が、前記傾斜縁部の上端よりも高い位置まで上方に延設されている、
請求項１から３の何れか一項に記載のヒンジリッド型ボックス。
【国際調査報告】
2014020719.tif 000012
2014020719.tif 000013
2014020719.tif 000014
2014020719.tif 000015